(57)【要約】【課題】接着剤により板状建材を壁面に、両者間にネットを介在させて張り付け施工するに際し、該ネットを板状建材及び壁面の双方に結合させる。【解決手段】壁面１に棒状のバックアップ材８が取り付けられ、このバックアップ材８に被せるように該壁面１にネット２が取り付けられており、これにより、該壁面１とネット２との間に間隙が形成されている。タイル４の裏面に弾性接着剤６を付着させ、ネット２の上側から壁面１にタイル４を張り付ける。弾性接着剤６はネット２の開き目を通って壁面１に付着する。壁面１に付着した弾性接着剤６中にネット２の一部が埋設されるようになり、弾性接着剤６を介してネット２が壁面１及びタイル４の双方に強固に結合することになる。【選択図】　図２
2004108049.tif 000002
【特許請求の範囲】
【請求項１】
壁面に板状建材を接着剤によって張り付ける板状建材の施工方法において、
該壁面にネットを、該ネットの一部と壁面との間に間隙が形成されるように取り付け、
次いで接着剤によって板状建材を張り付けることを特徴とする板状建材の施工方法。
【請求項２】
請求項１において、該壁面に棒状のバックアップ材を取り付け、その後、該ネットを該バックアップ材に被せて該壁面に取り付けることにより、壁面と該ネットの一部との間に前記間隙を形成することを特徴とする板状建材の施工方法。
【請求項３】
請求項２において、板状建材の下端面が載荷される受け部を有した受け金具を該ネットの上側から当て、該受け金具を留め部材によって前記壁面に固定し、
その後、板状建材の下端面を該受け部に載荷させて前記接着剤により板状建材を壁面に張り付けることを特徴とする板状建材の施工方法。
【請求項４】
請求項１ないし３のいずれか１項において、前記接着剤を板状建材の裏面に付着させておき、この接着剤付きの板状建材を壁面に張り付け、この際、該接着剤の一部を、ネットの開き目を通して壁面に付着させることを特徴とする板状建材の施工方法。
【請求項５】
請求項１ないし４のいずれか１項において、該接着剤は弾性接着剤であることを特徴とする板状建材の施工方法。
【発明の詳細な説明】
【０００１】
【発明の属する技術分野】
本発明は、タイル、石板等の板状建材を壁面に接着剤によって張り付け施工する方法に係り、特に、板状建材と壁面との間にネットを介在させるようにした板状建材の施工方法に関する。
【０００２】
【従来の技術】
板状建材と壁面との間にネットを介在させるようにした板状建材の従来技術として、特開平６−１０４７４号に記載のタイル施工方法がある。同号の方法においては、ネットの上に裏面をネットに向けて複数枚のタイルを並べ、タイル裏面の一部と該ネットとを接着剤で接着してタイルユニットを製作しておく。施工に際しては、まずコンクリート壁面にモルタル層を塗り付け、次いで、同号公報の第００１６段落の通り、上記タイルユニットの裏側を該モルタル層に密着させ、タイルの表面を軽く叩き、ネットをモルタル層中に押し込み、タイルの裏面とモルタル層とを密着させ、その後、モルタル層を硬化させる。
【０００３】
【特許文献１】
特開平６−１０４７４号公報
【０００４】
【発明が解決しようとする課題】
上記特開平６−１０４７４号公報の施工方法においては、ネット張りタイルユニットをモルタル層に当て、タイルを叩いてネットをモルタル層に埋設させるとあるが、この方法ではネットはモルタル層の表面にめり込むだけであり、同号公報の図１の如くにはモルタル層中に深く埋設させることはできない。このため、ネットとモルタル層との付着強度が低く、タイルの張り付け強度も低い。
【０００５】
本発明は、接着剤により板状建材を壁面に、両者間にネットを介在させて張り付け施工するに際し、該ネットを板状建材及び壁面の双方に結合させることができる板状建材の施工方法を提供することを目的とする。
【０００６】
【課題を解決するための手段】
本発明の板状建材の施工方法は、壁面に板状建材を接着剤によって張り付ける板状建材の施工方法において、該壁面にネットを、該ネットの一部と壁面との間に間隙が形成されるように取り付け、次いで接着剤によって板状建材を張り付けることを特徴とするものである。なお、好ましくは、接着剤を板状建材の裏面に付着させておき、この接着剤付きの板状建材を壁面に張り付け、この際、該接着剤の一部を、ネットの開き目を通して壁面に付着させる。
【０００７】
かかる本発明の板状建材の施工方法によって板状建材を壁面に張り付け施工した場合、ネットの一部と壁面との間に間隙が存在しているので、壁面に付着した接着剤中にネットの一部が埋設されるようになり、接着剤を介してネットが壁面及び板状建材の双方に強固に結合することになる。板状建材と壁面とは、接着剤の接着作用により結合されており、板状建材の張り付け強度は十分に高い。仮に接着剤の一部が板状建材あるいは壁面と剥離しても、ネットを介して板状建材が保持されるため、板状建材の脱落が防止される。
【０００８】
本発明では、壁面に棒状のバックアップ材を取り付け、その後、ネットを該バックアップ材に被せて該壁面に取り付けることにより、壁面と該ネットの一部との間に間隙を形成することが好ましい。このように棒状のバックアップ材を用いることにより、ネットと壁面との間に適正な間隙を確実に形成することができる。
【０００９】
本発明では、板状建材の下端面が載荷される受け部を有した受け金具をネットの上側から当て、該受け金具を留め部材によって壁面に固定し、その後、板状建材の下端面を該受け部に載荷させて接着剤により板状建材を壁面に張り付けることが好ましい。このように受け部を有した受け金具に板状建材の下端面を載荷させると、接着剤が硬化するまでの板状建材荷重が受け金具によって受け止められ、板状建材のズリ落ちが防止される。
【００１０】
【発明の実施の形態】
以下、図面を参照して本発明の実施の形態について説明する。第１図は本発明の実施の形態に係る板状建材の施工方法によるタイル張り構造の斜視図、第２図は第１図のＩＩ−ＩＩ線に沿う断面図、第３図はネット及びバックアップ材の配置を示す斜視図、第４図は受け金具の分解斜視図である。
【００１１】
コンクリート等よりなる建物の外壁等の壁面１に、ネット２がその一部と該壁面１との間に間隙が形成されるように取り付けられ、このネット２の上側から、板状建材としてのタイル４が弾性接着剤６によって壁面１に張り付けられている。タイル４は、第１図に示すように、壁面１に沿って水平方向に直列に且つ上下方向に多段に配列されている。
【００１２】
第２図及び第３図に示すように、壁面１に棒状のバックアップ材８が取り付けられ、このバックアップ材８に被せるように該壁面１にネット２が取り付けられている。また、このネット２の上側から、各タイル４の下端面が載荷される受け部１０ａを有する受け金具１０が当てられ、留め部材としての押え金具１２及びアンカ１４によって壁面１に固定されている。このように壁面１とネット２との間にバックアップ材８が介在されることにより、該壁面１とネット２の一部との間に間隙が形成されている。
【００１３】
第２図に示すように、この実施の形態では、該バックアップ材８は略方形断面形状の角棒状部材である。このバックアップ材８は、長手方向を略水平方向として、上段側及び下段側の各受け金具１０同士の間、即ち各タイル４の裏側に１本又は複数本（この実施の形態では２本）配列されている。
【００１４】
なお、この実施の形態では、該バックアップ材８は、その裏面（壁面１側の面）に付着された両面テープ（図示略）により壁面１に張り付けられているが、バックアップ材８の壁面１への取付方法はこれに限られるものではない。また、このバックアップ材８の材質は、軽量性等の点から合成樹脂が好ましいが、これ以外の材質で構成されてもよい。
【００１５】
受け金具１０は、第４図に示すように、Ｌ字形断面形状のレール状部材であり、前記受け部１０ａは、壁面１に沿うように配置される基片部１０ｂの下辺から前方に向って直角に曲成されている。この受け金具１０は、該受け部１０ａに複数枚のタイル４を並べて配置することができる長さとなっている。該基片部１０ｂにはアンカ１４の挿通孔１０ｃが複数個設けられている。
【００１６】
この受け金具１０は、長手方向を略水平方向として配置されている。基片部１０ｂがスペーサ１６を介してネット２の上側から壁面１に当てられ、両者が押え金具１２及びアンカ１４によって壁面１に固定されている。
【００１７】
各タイル４は、下端面がこの受け金具１０の受け部１０ａに載荷され、その裏面に付着された弾性接着剤６により壁面１に張り付けられている。この弾性接着剤６は、ネット２の開き目を通して壁面１に付着している。
【００１８】
なお、このネット２の材質としては、耐久性、耐候性及び耐アルカリ性に優れたガラスネットが好適であるが、合成樹脂等を用いてもよい。また、このネット２の目の大きさは、弾性接着剤６の流動性や、その硬化後の壁面１とタイル４との結合力等を勘案して、１０ｍｍ×１０ｍｍ〜２０ｍｍ×２０ｍｍ程度が好ましい。
【００１９】
以下に、このように構成されたタイル張り構造の施工方法について説明する。
【００２０】
まず、壁面１に、両面テープでバックアップ材８を張り付け、このバックアップ材８に被せてネット２を取り付ける。この実施の形態では、ネット２を配置する前に、予め壁面１にネット２を仮留めするための両面テープ１８を張り付けておき、この両面テープ１８によりネット２を壁面１に留め付ける。
【００２１】
次に、最下段の受け金具１０の基片部１０ｂをスペーサ１６を介してネット２の上側から当て、このスペーサ１６と重なるように該基片部１０ｂの表側に押え金具１２を当て、各々のアンカ挿通孔１２ａ，１０ｃ，１６ａを貫通するようにアンカ１４を壁面１のアンカ打込み孔に打ち込むことにより、該受け金具１０を壁面１に固定する。
【００２２】
次いで、タイル４の裏面に弾性接着剤６を付着させ、このタイル４の下端面を該受け金具１０の受け部１０ａに載荷させつつ、ネット２の上側からタイル４を壁面１に押し付ける。このようにすると、該弾性接着剤６がネット２の開き目から該ネット２の裏側の該ネット２と壁面１との間の間隙に流れ込み、壁面１に付着する。これにより、タイル４が該弾性接着剤６によって壁面１に接着される。
【００２３】
このようにして最下段のタイル４を壁面１に張り終えた後、２段目の受け金具１０を壁面１に取り付け、２段目の各タイル４を最下段と同様にして壁面１に張り付ける。この作業を最上段まで繰り返すことにより、壁面１へのタイル張り構造が完成する。
【００２４】
このようにしてタイル４を壁面１に張り付け施工した場合、タイル４の裏側においてネット２の一部と壁面１との間に間隙が存在しているので、壁面１に付着した弾性接着剤６中にネット２の一部が埋設されるようになり、弾性接着剤６を介してネット２が壁面１及びタイル４の双方に強固に結合することになる。タイル４と壁面１とは、弾性接着剤６の接着作用により結合されており、タイル４の張り付け強度は十分に高い。仮に弾性接着剤６の一部がタイル４あるいは壁面１と剥離しても、ネット２を介して板状建材が保持されるため、タイル４の脱落が防止される。
【００２５】
本実施の形態では、壁面１に棒状のバックアップ材２を取り付け、その後、ネット２を該バックアップ材８に被せて壁面１に取り付けて壁面１と該ネット２の一部との間に間隙を形成するようにしたことにより、ネット２と壁面１との間に適正な間隙を確実に形成することができる。
【００２６】
また、本実施の形態では、タイル４の下端面を受け部１０ａ上に載荷させてタイル４を壁面１に張り付けているので、弾性接着剤６が硬化するまでのタイル４の荷重が受け金具１０によって受け止められ、タイル４のズリ落ちが防止される。
【００２７】
なお、この実施の形態では、バックアップ材８を、その長手方向が略水平方向となるように配置しているが、該長手方向が上下方向となるように配置してもよい。このように長手方向が上下方向となるようにバックアップ材を配置した場合には、タイル４の裏側に雨水等が侵入しても、該雨水等がタイル４の裏側に溜まることが防止される。該バックアップ材８の形状や長さ等は、第１〜４図に図示以外の構成としてもよい。
【００２８】
この実施の形態では、受け部１０ａ上に複数枚のタイル４を並べて配置することができる長さを有したレール状の受け金具１０を用いているが、これよりも短い、例えば個々のタイル４に取り付けられるフック状の受け金具を用いてもよい。また、この実施の形態ではタイル４の全ての段に受け金具１０を設けているが、一部の段（例えば最下段や途中の一段或いは数段）にのみ受け金具１０を設けてもよい。
【００２９】
なお、本発明では、このような受け金具１０以外の構成によってタイル４を壁面１又はネット２に係止してもよい。例えば、図示はしないが、タイル４の裏面にフックを接着やビス留め等によって固着し、ネット２の上側からタイル４を張り付ける際に、このフックを該ネット２に引掛けるようにしてもよい。このようにネット２にフックを引掛けておくことにより、接着剤６がタイル４や壁面から剥離しても、タイル４の壁面１からの脱落が防止される。
【００３０】
この実施の形態では、弾性接着剤６をタイル４の裏面に上下方向に筋状に付着させているが、弾性接着剤６のタイル４への付着形状はこれに限られるものではない。弾性接着剤６をタイル４の裏面に上下方向に筋状に付着させた場合には、前述のようにバックアップ材８を上下方向に延設した場合と同様に、タイル４の裏側に雨水等が溜まりにくい。
【００３１】
上記実施の形態では板状建材としてタイルを用いているが、本発明の板状建材の施工方法にあっては、タイル以外の種々の板状建材（例えば石板等）を用いることができる。
【００３２】
【発明の効果】
以上の通り、本発明の板状建材の施工方法によると、接着剤により板状建材を壁面に、両者間にネットを介在させて張り付け施工するに際し、該ネットを板状建材及び壁面の双方に強固に結合させることができる。
【図面の簡単な説明】
【図１】実施の形態に係る板状建材の施工方法によるタイル張り構造の斜視図である。
【図２】図１のＩＩ−ＩＩ線に沿う断面図である。
【図３】ネット及びバックアップ材の配置を示す斜視図である。
【図４】受け金具の分解斜視図である。
【符号の説明】
１　壁面
２　ネット
４　タイル
６　弾性接着剤
８　バックアップ材
１０　受け金具
１０ａ　受け部
１２　押え金具
１４　アンカ
【図１】
2004108049.tif 000003
【図２】
2004108049.tif 000004
【図３】
2004108049.tif 000005
【図４】
2004108049.tif 000006